(57)【特許請求の範囲】
【請求項１】
ベース金物が、胴差の上下フランジ間で上下方向に突っ張り状態となることによって固定され、このベース金物の屋外側の面部に水切り板が重ねられると共に、この水切り板を挟むようにベース金物に押さえ金物が重ねられ、この押さえ金物とベース金物がネジで締め合わされることで、水切り板が、押さえ金物とベース金物との間に挟み込まれ、階間胴差部に取り付けられていることを特徴とする階間胴差部における水切り板の取付け構造。
【請求項２】
胴差の上下フランジ間で上下方向に突っ張り状態となることによって固定されるベース金物と、
ベース金物の屋外側の面部に水切り板を介して重ねられる押さえ金物と、
ベース金物と押さえ金物とを締め合わせて水切り板を挟み込むネジと
が備えられていることを特徴とする階間胴差部における水切り板の取付け金物。
【発明の詳細な説明】
【０００１】
【発明の属する技術分野】
本発明は、階間胴差部における水切り板の取付け構造及び取付け金物に関する。
【０００２】
【従来の技術及び課題】
建物の階間胴差部を水切り板で止水するための水切り板の取付け構造として、従来より、いくつかの取付け構造が提供されているが、それらは、構造が煩雑であったり、施工が厄介であるなどの問題を有していた。
【０００３】
本発明は、そのような背景において、階間胴差部への水切り板の取付けを簡素な構造で施工容易に行うことができる取付け構造及び取付け金物を提供することを課題とする。
【０００４】
【課題を解決するための手段】
上記の課題は、ベース金物が、胴差の上下フランジ間で上下方向に突っ張り状態となることによって固定され、このベース金物の屋外側の面部に水切り板が重ねられると共に、この水切り板を挟むようにベース金物に押さえ金物が重ねられ、この押さえ金物とベース金物がネジで締め合わされることで、水切り板が、押さえ金物とベース金物との間に挟み込まれ、階間胴差部に取り付けられていることを特徴とする階間胴差部における水切り板の取付け構造によって解決される。
【０００５】
また、胴差の上下フランジ間で上下方向に突っ張り状態となることによって固定されるベース金物と、
ベース金物の屋外側の面部に水切り板を介して重ねられる押さえ金物と、
ベース金物と押さえ金物とを締め合わせて水切り板を挟み込むネジと
が備えられていることを特徴とする階間胴差部における水切り板の取付け金物によって解決される。
【０００６】
この構造及び金具では、階間胴差部への水切り板の取付けは、ベース金物を胴差の上下フランジ間に配置して突っ張り状態にすることで固定し、しかる後、このベース金物に水切り板を重ね、その外側から押さえ金物を重ねて押さえ金物とベース金物とをネジで締め合わせるだけで水切り板を階間胴差部に取り付けることができ、水切り板の取付けを施工容易に行うことができる。しかも、ベース金物と押さえ金物とネジによる簡素な構造で水切り板を取り付けることができる。
【０００７】
【発明の実施の形態】
次に、本発明の実施形態を図面に基づいて説明する。
【０００８】
図１乃至図４に示す実施形態の水切り板取付け構造は、住宅用建物の階間部に用いた場合のもので、１は胴差、２は階上の外壁パネル、３は階下の外壁パネル、４，４は水切り板、５はその取付け金物である。
【０００９】
胴差１は、図１及び図４に示すように、上下のフランジ１ａ，１ｂとこれらフランジ１ａ，１ｂをつなぐウェブ１ｃとを備えたＨ形鋼からなり、この胴差１の上フランジ１ａの上面に階上外壁パネル２の下枠２ａが接合され、下フランジ１ｂの下面に階下外壁パネル３の上枠３ａが接合されている。なお、階上階下の各外壁パネル２，３において、２ｂ，３ｂは面材であり、２ｃ，３ｃはその裏面側に備えられた発泡断熱材である。
【００１０】
そして、水切り板４は、階間胴差部を止水するもので、金属板からなり、図１等に示すように、その上部の側が、胴差１の上フランジ１ａの下方へと垂れ下げられた階上外壁パネル２の発泡断熱材２ｃの背面側に位置し、下部の側が、階下外壁パネル３の発泡断熱材３ｃの正面側に位置するように取り付けられる。
【００１１】
この水切り板４の取付けに用いるのが取付け金物５である。取付け金物５は、図２に示すように、ベース金物６と、押さえ金物７と、締め合わせ用ネジ８，８とを構成部品として備えている。
【００１２】
ベース金物６は、上下方向に延びる金属製の帯板状のベース板部６ａを備え、その幅方向の両側部は背面側に直角に屈折されて補強リブ６ｂ，６ｂが形成され、これら補強リブ６ｂの上端を突っ張り用の当接部６ｃとしている。そして、この左右の補強リブ６ｂの下端部は外方に水平に屈折され、その水平板部６ｄ，６ｄに突っ張り用のネジ９，９が下方に突出できるように螺合され、図３（ロ）に示すように、この突っ張り用ネジ９，９を回転させて水平板部６ｄ，６ｄの下方に突出させていくことにより、ベース金物６が胴差１の上下のフランジ１ａ，１ｂ間に突っ張り状態となって固定されるようになされている。また、ベース板部６ａの下端部の側は、水切り板４の形状に対応して、段６ｅを介して屋外側に偏心している。
【００１３】
また、このベース金物６には、図２に示すように、そのベース板部６ａの幅方向中央部の上下に、ネジの切られた孔６ｆ，６ｆが形成されている。
【００１４】
なお、６ｇは隆起部で、左右の水切り板４，４の端部を左右方向において重なり合わないように規制するものである。６ｈ，６ｈは左右の引っ掛けで、水切り板４，４の上縁が屋外側に倒れないように保持するものである。６ｉは中間の引っ掛けで、押さえ金物７が屋外側に倒れないよう保持するものであり、６ｊは受けで、押さえ金物７の下端を受けるものである。
【００１５】
押さえ金物７は、上下方向に延びる金属製の帯板状押さえ板部７ａを備え、その幅方向の両側部は正面側に直角に屈折されて補強リブ７ｂ，７ｂが形成されている。そして、押さえ板部７ａの幅方向中央部には、ベース金物６のネジ孔６ｆ，６ｆに対応するネジ通孔７ｃ，７ｃが明けられている。また、押さえ金物７の下端部の側は、水切り板４の形状に対応して、段７ｄを介して屋外側に偏心している。
【００１６】
上記の取付け金物５を用いることで、水切り板４，４を次のようにして取り付けることができる。即ち、図３（イ）に示すように、階上階下の外壁パネル２，３の建方を終えた後、ベース金物６を屋外側から胴差１の上下のフランジ１ａ，１ｂ間に挿入し、そして、図３（ロ）に示すように、突っ張りネジ９，９を回転させて下方に突出させていき、この突っ張りネジ９を胴差１の下フランジ１ｂの上面に、上部の突っ張り用当接部６ｃを胴差１の上フランジ１ａの下面に当接させて、ベース金物６を胴差１の上下のフランジ１ａ，１ｂ間で突っ張り状態にして固定する。
【００１７】
次いで、図３に示すように、このベース金物６のベース板部６ａの屋外側の面部内の左右領域にそれぞれ、左右の水切り板４，４の端部を重ねる。このとき、水切り板４の端部の上縁部をベース金物６の引っ掛け６ｈ，６ｈにかけた状態にして、水切り板４の偏心段部４ａをベース板部６ａの段部６ｅにのせると共に、下端を階下の外壁パネル３に受けさせるようにすることで、水切り板４をベース金物６に位置決めにするとよい。なお、図示しないが、ベース金物６は胴差１に沿って間隔的に取り付けられており、水切り板４の両端部をそれぞれ左右のベース金物６に保持させるようにすることで、安定した仮位置決め状態を得ることができる。
【００１８】
しかる後、屋外側から、押さえ金物７を、左右の水切り板４，４の端部をベース金物６とで挟むようにセットする。このとき、押さえ金物７は、その上端部をベース金物６の上端部中間位置にある引っ掛け６ｉに引っ掛け、下端部をベース金物６の下端部の受け６ｊに受けさせることで、仮保持状態となる。この仮保持状態において、屋外側から、ネジ８，８で、ベース金物６のベース板部６ａと、押さえ金物７の押さえ板部７ａとを締め合わせるようにすることで、左右の水切り板の端部は、これらベース金物６と押さえ金物７とに挟み込まれ、階間胴差部に水切り板４，４が取り付けられる。以上のようにして、水切り板４，４が階間胴差部に取り付けられる。なお、１１は発泡断熱材であり、水切り板４，４の屋外側の面部に保持される。また、１２はシール材であり、ベース金物６と押さえ金物７とのネジ締めによって取付け金物５と水切り板４との間を水密状態にするものである。
【００１９】
このように、上記のような水切り板取付け構造によれば、取付け金具５を用いることによって、階間胴差部への水切り板４，４の取付けを施工容易に行うことができ、しかも、ベース金物６と押さえ金物７とネジ８，８による簡素な構造で水切り板４，４を取り付けることができる。
【００２０】
以上に、本発明の実施形態を示したが、本発明はこれに限られるものではなく、発明思想を逸脱しない範囲で、各種の変更が可能である。例えば、上記の実施形態では、胴差１がＨ形鋼である場合を示しているが、胴差を溝形鋼とし、その開口側を屋外側に向けるようにしたものであってもよく、要は、屋外側において上下のフランジが存在するような構造の胴差であればよい。また、ベース金物６の突っ張り構造として、各種形態のものが採用されてよい。更に、上記の実施形態では、水切り板４の端部を取付け金物５で挟み込んで取付け場合を示しているが、水切り板の端部間の中間部を取付け金物５で挟み込むことによって取り付けるようにしてもよい。
【００２１】
【発明の効果】
本発明は、以上のとおりのものであるから、階間胴差部への水切り板の取付けを簡素な構造で施工容易に行うことができる。
【図面の簡単な説明】
【図１】実施形態の水切り板取付け構造を示す断面側面図である。
【図２】取付け金物の分解斜視図である。
【図３】図（イ）及び図（ロ）は取付け金物のベース金物を胴差に取付け方法を順次に示す断面側面図である。
【図４】階間胴差部の断面側面図である。
【符号の説明】
１…胴差
１ａ…上フランジ
１ｂ…下フランジ
４…水切り板
５…取付け金物
６…ベース金物
７…押さえ金物
８…締め合わせネジ
９…突っ張りネジ
【図１】
0003875120.tif 000002
【図２】
0003875120.tif 000003
【図３】
0003875120.tif 000004
【図４】
0003875120.tif 000005